(57)【要約】【課題】  特に傘の布部から垂れた水を吸水し、集水溝からの漏れを防ぐ傘用水垂れ防止キャップを提供する。【解決手段】  本発明本発明に係る傘用水垂れ防止キャップは、本体と、止めリングと、集水溝と、吸水部材を有し、その内、該本体は、底部に密閉状のベースが設けられ、上部に開口が形成され、該開口の周囲に上環縁が設けられ、該ベースと上環縁との間に側壁が設けられ、該止めリングは、該ベースから上環縁へ向かって延設され、底部にベースと連結する下端が設けられ、上部に上端が設けられ、該上端から囲まれた中央部に挿設開口が形成され、該下端と該上端との間に環状壁が設けられ、該環状壁の内部に挿設通路が形成され、該挿設通路の内径が上端から下端につれて狭くなり、該集水溝は、該本体の側壁と止めリングの環状壁との間に形成され、該吸水部材は、着脱可能に該集水溝に嵌め込まれるものである。【選択図】  図１
2016120122.tif 000002
【特許請求の範囲】
【請求項１】
中空状の容器であり、底部に密閉状のベースが設けられ、上部に開口が形成され、該開口の周囲に上環縁が設けられ、該ベースと上環縁との間に側壁が設けられる本体と、
前記本体のベースから上環縁へ向かって延設され、中空の円筒状を呈し、底部にベースと連結する下端が設けられ、上部に上端が設けられ、該上端から囲まれた中央部に挿設開口が形成され、該下端と該上端との間に環状壁が設けられ、該環状壁の内部に挿設通路が形成され、該挿設通路の内径が上端から下端につれて狭くなる、止めリングと、
前記本体の側壁と止めリングの環状壁との間に形成される集水溝と、
着脱可能に前記集水溝に嵌め込まれる吸水部材と、を有することを特徴とする傘用水垂れ防止キャップ。
【請求項２】
前記本体及び止めリングは、復位可能な弾性材質からなり、
前記吸水部材は、着脱可能に集水溝の一部または全体に嵌め込まれることを特徴とする請求項１に記載の傘用水垂れ防止キャップ。
【請求項３】
前記弾性材質は、弾性プラスチックまたはゴムであり、
前記吸水部材は、吸水スポンジであることを特徴とする請求項２に記載の傘用水垂れ防止キャップ。
【請求項４】
前記本体の上環縁の周縁に縁部が延設され、該縁部の上面に少なくとも１つの固定部材が設置され、該縁部の上方に締付けリングが設置され、該締付けリングは、着脱可能に該固定部材と対応する位置に取り付けられ、締付けリングにおける、該縁部に面する底面に少なくとも１つの固定ユニットが設けられることを特徴とする請求項１乃至３の何れか１項に記載の傘用水垂れ防止キャップ。
【請求項５】
前記固定部材は金属材質の鉄からなる円環体であり、
前記固定ユニットは、相対するように設置された２つの磁石であることを特徴とする請求項４に記載の傘用水垂れ防止キャップ。
【請求項６】
前記止めリングの環状壁は、下端から上端へ行くにつれて厚みが薄くなることを特徴とする請求項１乃至３の何れか１項に記載の傘用水垂れ防止キャップ。
【請求項７】
前記止めリングの環状壁は、下端から上端へ行くにつれて厚みが薄くなることを特徴とする請求項４に記載の傘用水垂れ防止キャップ。
【請求項８】
前記止めリングの環状壁は、下端から上端へ行くにつれて厚みが薄くなることを特徴とする請求項５に記載の傘用水垂れ防止キャップ。
【請求項９】
前記側壁の外周面に少なくとも１つ保持部が凹設されることを特徴とする請求項１乃至３の何れか１項に記載の傘用水垂れ防止キャップ。
【請求項１０】
前記側壁の外周面に少なくとも１つ保持部が凹設されることを特徴とする請求項４に記載の傘用水垂れ防止キャップ。
【発明の詳細な説明】
【技術分野】
【０００１】
本発明は特に、傘の布部から垂れた水を吸水して集水溝に集め、漏れを防ぐ傘用水垂れ防止キャップに関するものである。
【背景技術】
【０００２】
既存の傘の吸水器は、傘の石突きを挿設させるための中空状の筒部材を備え、該筒部材の一端に傘の先端を締付けるためのゴムリングが設けられ、また、該一端に集水穴を備える環部材が取り付けられ、該筒部材に吸水スポンジが環装され、該吸水スポンジにケースが環装されることから、傘の布部から垂れた水を集水穴を介して吸水スポンジに吸水させることができ、また、排水する時は、傘及び吸水器を傾かせてケースを一方へ移動させる、そのケースにより吸水スポンジを押圧して水を絞り出すことができる。
【先行技術文献】
【特許文献】
【０００３】
文献１：台湾の実用新案第１７８０１６号
文献２：台湾の実用新案第２０８１３０号
文献３：台湾の実用新案第２５１４２３号
文献４：台湾の実用新案第２５８８７６号
文献５：台湾の実用新案第２６８２１８号
文献６：台湾の実用新案第３３８２６９号
文献７：台湾の実用新案第Ｍ３８４５６２号
文献８：台湾の実用新案第Ｍ４４２７３８号
文献９：台湾の実用新案第Ｍ４６４０３８号
【発明の概要】
【発明が解決しようとする課題】
【０００４】
既存の傘の吸水器は、部材が多く、構造が複雑であると共に、その排水の手間が面倒であり、尚且つ水の流出方向も制御できないので、使用するときは毎回、床が水まみれとなり、滑ったり転んでしまう恐れがあった。また、既存の傘の吸水器を排水する時に、そのケースを傘の先端に対して一方へ移動させることによって、吸水スポンジを押圧して水を絞り出すことができるが、吸水スポンジを絞って乾燥させることができないため、吸水スポンジにカビが生えてしまうという問題があった。
【課題を解決するための手段】
【０００５】
上述した問題を解決するために、本発明に係る傘用水垂れ防止キャップは、
中空状の容器であり、底部に密閉状のベースが設けられ、上部に開口が形成され、該開口の周囲に上環縁が設けられ、該ベースと上環縁との間に側壁が設けられる本体と、
前記本体のベースから上環縁へ向かって延設され、中空の円筒状を呈し、底部にベースと連結する下端が設けられ、上部に上端が設けられ、該上端から囲まれた中央部に挿設開口が形成され、該下端と該上端との間に環状壁が設けられ、該環状壁の内部に挿設通路が形成され、該挿設通路の内径が上端から下端につれて狭くなる、止めリングと、
前記本体の側壁と止めリングの環状壁との間に形成される集水溝と、
着脱可能に前記集水溝に嵌め込まれる吸水部材と、を有するものである。
【０００６】
かかる傘用水垂れ防止キャップにおいて、
前記本体及び止めリングは、復位可能な弾性材質からなり、
前記吸水部材は、着脱可能に集水溝の一部または全体に嵌め込まれることが好ましい。
【０００７】
かかる傘用水垂れ防止キャップにおいて、
前記弾性材質は、弾性プラスチックまたはゴムであり、
前記吸水部材は、吸水スポンジであることが好ましい。
【０００８】
かかる傘用水垂れ防止キャップにおいて、
前記本体の上環縁の周縁に縁部が延設され、該縁部の上面に少なくとも１つの固定部材が設置され、該縁部の上方に締付けリングが設置され、該締付けリングは、着脱可能に該固定部材と対応する位置に取り付けられ、締付けリングにおける、該縁部に面する底面に少なくとも１つの固定ユニットが設けられることが好ましい。
【０００９】
かかる傘用水垂れ防止キャップにおいて、
前記固定部材は金属材質の鉄からなる円環体であり、
前記固定ユニットは、相対するように設置された２つの磁石であることが好ましい。
【００１０】
かかる傘用水垂れ防止キャップにおいて、前記止めリングの環状壁は、下端から上端へ行くにつれて厚みが薄くなることが好ましい。
【００１１】
かかる傘用水垂れ防止キャップにおいて、前記側壁の外周面に少なくとも１つ保持部が凹設されることが好ましい。
【発明の効果】
【００１２】
本発明に係る傘用水垂れ防止キャップは、上述した構造を有するので、傘の先端を本体の開口を通過して止めリングの挿設開口を通って挿設通路に挿し込むことによって、傘の布部から垂れた水を吸水部材により吸水しながら集水溝に集めることができる。また、その吸水部材は集水溝に嵌め込まれることから、傘を横に倒しても先端を上にしても、集水溝に溜まった水は吸水部材により阻まれて外に溢れることはないので、地面が水まみれになることはなく、さらに、吸水部材が大量の水を吸水した時は、そのままキャップを握って吸水部材を絞ることにより排水することができるが、キャップを傘の先端から取り外して逆にしてから、キャップを握って吸水部材を絞り排水することもできる。このように、この構成によれば、吸水部材を何度も繰り返し使用することができるので、操作上、非常に便利であると共に、環境に優しい。
【００１３】
また、本発明に係る傘用水垂れ防止キャップは、本体の上環縁に固定部材が設置され、該固定部材に締付けリングが着脱可能に設置されることから、傘を閉じる時、締め付けリングが傘に沿って本体と反対する方向へ移動し、布部から垂れた水を吸水部材に吸水させて集水溝に集めることができるので、傘の布部上の水を排出すれば、布部を乾燥しやすくなり、実用性に優れている。
【図面の簡単な説明】
【００１４】
【図１】本発明に係る傘用水垂れ防止キャップの部分断面斜視図である。
【図２】本発明に係る傘用水垂れ防止キャップの側面視断面図である。
【図３】本発明に係る傘用水垂れ防止キャップにおける他の実施例の側面視断面図である。
【図４】本発明に係る傘用水垂れ防止キャップの使用状態を示す説明図である。
【図５】本発明に係る傘用水垂れ防止キャップの排水操作を示す説明図である。
【図６】本発明に係る傘用水垂れ防止キャップにおける他の実施例の部分断面斜視図である。
【図７】本発明に係る傘用水垂れ防止キャップの他の実施例の操作状態を示す説明図である。
【発明を実施するための形態】
【００１５】
以下、添付図面を参照して本発明の適切な実施の形態を詳細に説明する。
【００１６】
図１に示すように、本発明に係る傘用水垂れ防止キャップは、本体１０と、止めリング２０と、吸水部材３０を有する。
【００１７】
前記本体１０は中空状のキャップであるが、円形や矩形を呈してもよく、上部に開口を備える筒体容器であればよい。本発明の本体１０は円筒体であり、底部に密閉状のベース１１が設けられ、上部に開口が形成され、該開口の周囲に上環縁１２が設けられ、該ベース１１と上環縁１２との間に側壁１３が設けられ、この構成によれば、傘の先端を開口から本体１０に挿設することができる。
【００１８】
前記本体１０のベース１１は、それの材質を用いて肉厚に作成され、該ベース１１の厚さより厚い滑り止めパッド１１１が一体に成形され、該滑り止めパッド１１１は、ベース１１の上面に凸設されることが好ましい。この構成によれば、本発明におけるキャップが先端に環装された傘を床に付くと、滑り止めパッド１１１が床との衝突を緩和するので、傘を杖として使用することもできる。また、前記側壁１３の外周面における相対する両側にそれぞれ保持部１３１が凹設され、使用者は該保持部１３１によりキャップを取り外したり、握ったりすることができる。
【００１９】
前記止めリング２０は中空の円筒状を呈し、本体１０のベース１１から上環縁１２へ向かって延設され、底部に下端２１がベース１１と一体に成形され、上部に上端２２が設けられ、該下端２１と上端２２との間に環状壁２３が設けられ、該環状壁２３の内部に挿設通路２４が形成され、その内、該下端２１は、外周縁を介して滑り止めパッド１１１の内周縁と接着され、該上端２２から囲まれた中央部に挿設開口２２１が形成され、該環状壁２３は、下端２１から上端２２につれて厚みが薄くなる環状の壁である。尚、その環状壁２３は、下端２１から上端２２へ行くつれて次第に等比率で薄くなることが好ましい。
この構成によれば、本発明におけるキャップを傘の先端に環装する時、その傘の先端が本体１０の開口を通過して止めリング２０の挿設開口２２１から挿設通路２４に挿し込まれ、また、この挿設通路２４の内径は上端２２から下端２１につれて狭くなることから、傘の先端のサイズが異なっても挿設通路２４に挿入することができ、更に、その環状壁２３の厚さは、上端２２から下端２１につれて厚くなることから、挿入した傘の先端を挟み込んで挿設通路２４の内部に強固に保持することができる。
【００２０】
さらに、前記本体１０の側壁１３と止めリング２０における環状壁２３との間に、傘の布部から垂れた水を溜めるための環状の集水溝４０が形成される。
【００２１】
図１及び図２に示すように、前記本体１０のベース１１から止めリング２０の上端２２までの高さＨ1は、本体１０のベース１１から上環縁１２までの高さＨ２より低くても高くても構わない。尚、本実施例においては、本体１０のベース１１から止めリング２０の上端２２までの高さＨ１は、本体１０のベース１１から上環縁１２までの高さＨ２より低く、本体１０及び止めリング２０は、弾性を有するプラスチックまたはゴムなどの復位可能な弾性材質からなる。
【００２２】
前記吸水部材３０は吸水スポンジであり、着脱可能に集水溝４０に嵌め込まれ、また、図２に示すように、該吸水部材３０は、集水溝４０における本体１０の上環縁１２と止めリング２０の上端２２との間に嵌め込まれるので、傘を斜めにしても、その集水溝４０の内部に溜まった水が外に漏れることはない。
【００２３】
図３に示すように、他の実施例においては、その吸水部材３０が集水溝４０の形状と対応する環状のスポンジであり、着脱可能に集水溝４０に嵌合されるので、傘の布部から垂れた水をすべて吸水部材３０で吸水するので、漏れる心配はない。
【００２４】
図４に示すように、本発明に係る傘用水垂れ防止キャップを傘５０の先端５１に環装する時、その先端５１が本体１０の開口を通過して止めリング２０の上端２２の挿設開口２２１から挿設通路２４に嵌め込まれるので、傘５０を垂直方向に持っている時に、集水溝４０内部の吸水部材３０が傘５０の布部５２から垂れた水を吸水しながら集水溝４０に溜めることができる。
【００２５】
そして、傘５０を使い終わった時は、キャップを先端５１に付けたまま、傘５０を横にして指で本体１０の側壁１３を握ると、集水溝４０に溜まった水と吸水部材３０に吸水されている水を排出することができる。
【００２６】
一方、図５に示すように、その傘５０を使い終わり、キャップを先端５１から取り外して上下逆にして、軟材質からなるの側壁１３の保持部１３１を握って吸水部材３０を絞ると、集水溝４０に溜まった水及び吸水部材３０に吸水された水を排出することができる。また、その絞った後の吸水部材３０は、集水溝４０から取り外して乾燥させてから、再び集水溝４０に取り付けて使用しもよいが、他の吸水部材３０に交換してもよい。
【００２７】
図６に示すように、更に他の実施例は、殆ど第一実施例と同一であるが、以下の点において異なる。即ち、本体１０の上環縁１２に縁部１４が止めリング２０と反対する方向に延設され、該縁部１４の上面に固定部材６０が設置され、該固定部材６０は、鉄などの磁着可能な金属材質からなり、円環状を呈するものである。また、その縁部１４の上方に、円環状の締付けリング７０が磁性吸着により着脱可能に固定部材６０に取り付けられ、該締付けリング７０は、固定部材６０の形状と対応する環状を呈し、縁部１４に面する底面に２つの固定ユニット７１がそれぞれ相対するように設置される。尚、その固定ユニット７１は磁石であることが好ましい。
【００２８】
図７に示すように、締付けリング７０付きのキャップは傘５０の先端５１に装着して使用してもよい。例えば、その傘５０を使い終わって閉じる時に、傘５０を垂直方向に持っていて、使用者が片手で縛り部材７０を上下に摺動させながら、傘５０の布部５２に付いた水を取り除き、水を傘５０の布部５２に沿って垂れて吸水部材３０により吸水して集水溝４０に集める。その吸水部材３０が大量の水を吸水した時は、キャップを傘５０の先端５１から取り外して、指で本体１０の側壁１３を握って吸水部材を絞ることにより排水することができる。
【符号の説明】
【００２９】
１０ 本体
１１ ベース
１１１ 滑り止めパッド
１２ 上環縁
１３ 側壁
１３１ 保持部
１４ 縁部
２０ 止めリング
２１ 下端
２２ 上端
２２１ 挿設開口
２３ 環状壁
２４ 挿設通路
３０ 吸水部材
４０ 集水溝
５０ 傘
５１ 先端
５２ 布部
６０ 固定部材
７０ 締付けリング
７１ 固定ユニット
Ｈ1 高さ
Ｈ２ 高さ
【図１】
2016120122.tif 000003
【図２】
2016120122.tif 000004
【図３】
2016120122.tif 000005
【図４】
2016120122.tif 000006
【図５】
2016120122.tif 000007
【図６】
2016120122.tif 000008
【図７】
2016120122.tif 000009